(57)【特許請求の範囲】
【請求項１】
本体枠に回動可能に軸支された前面枠の裏面側に、遊技盤を収納可能な遊技盤収納部材を備える遊技機において、
前記遊技盤収納部材は、導電性材により構成され、
当該遊技機に設置された装置類からの電気的接続を行うために前記遊技盤収納部材に設けられた接続部と、
前記接続部から遊技機設置島側への電気的接続を行うための導線と、を備え、
前記導線は、
前記遊技盤収納部材の前記前面枠への取付基部よりも後方、かつ、前記前面枠の回動軸側の上側部分、に配される中継基板を介して、前記接続部から前記遊技機設置島側への電気的接続を行うものであり、
前記接続部から前記中継基板に至る第１の導線と、
前記中継基板から前記遊技機設置島に至る第２の導線と、を含んで構成され、
前記第１の導線と前記第２の導線との双方が一つのコネクタに接続され、
前記一つのコネクタを前記中継基板に取付けることで前記第１および第２の導線が中継基板の回路基板を介して電気的に接続されて、前記接続部から前記遊技機設置島側への電気的接続がなされるように構成されており、
前記中継基板は、
電源線を介して遊技機外から導入された電源を中継し、
前記導線は、前記接続部と前記遊技機設置島との間で流れる電流の方向を、前記接続部側から前記遊技機設置島側への一方向にさせる不可逆性伝達手段を備えることを特徴とする遊技機。
【請求項２】
本体枠に回動可能に軸支された前面枠の裏面側に、遊技盤を収納可能な遊技盤収納部材を備える遊技機において、
前記遊技盤収納部材は、導電性材により構成され、
当該遊技機に設置された装置類からの電気的接続を行うために前記遊技盤収納部材に設けられた接続部と、
前記接続部から遊技機設置島側への電気的接続を行うための導線と、を備え、
前記導線は、
前記遊技盤収納部材の前記前面枠への取付基部よりも後方、かつ、前記前面枠の回動軸側の上側部分、に配される中継基板を介して、前記接続部から前記遊技機設置島側への電気的接続を行うものであり、
前記接続部から前記中継基板に至る第１の導線と、
前記中継基板から前記遊技機設置島に至る第２の導線と、を含んで構成され、
前記第１の導線と前記第２の導線との双方が一つのコネクタに接続され、
前記一つのコネクタを前記中継基板に取付けることで前記第１および第２の導線が中継基板の回路基板を介して電気的に接続されて、前記接続部から前記遊技機設置島側への電気的接続がなされるように構成されており、
前記中継基板は、
電源線を介して遊技機外から導入された電源を中継し、
前記導線は、前記接続部から前記遊技機設置島側に流れる電流の急激な変化を抑える変化抑制手段を備えることを特徴とする遊技機。
【請求項３】
前記導線の前記遊技盤収納部材側の先端部には、該先端部を前記接続部に取付けるための磁石が設けられていることを特徴とする請求項１又は２に記載の遊技機。
【請求項４】
前記接続部は、前記磁石を取付け可能な凹室状に構成されるとともに、前記遊技盤収納部材の、前記前面枠の回動軸側の上側部分に配されていることを特徴とする請求項３記載の遊技機。
【請求項５】
前記導線の、前記遊技機設置島側の先端部には、該先端部を前記遊技機設置島に取付けるための磁石が設けられていることを特徴とする請求項１〜４のいずれかに記載の遊技機。
【請求項６】
請求項５記載の遊技機を複数設置可能な遊技機設置島と、この遊技機設置島に設置される複数の前記遊技機と、を含んで構成される遊技設備であって、前記遊技機設置島の、各遊技機の設置位置に対応した箇所には、前記導線の前記遊技機設置島側先端部の磁石の取付用凹室が設けられていることを特徴とする遊技設備。
【発明の詳細な説明】
【０００１】
【発明の属する技術分野】
本発明は、本体枠と回動可能に軸支された前面枠の裏面側に、遊技盤を収納可能な遊技盤収納部材を備える遊技機およびこの遊技機を備える遊技設備に関する。
【０００２】
【従来の技術】
従来の遊技機は、静電気等により遊技機内部の装置に貯まった電荷を、遊技機内部で空中放電していた。
ところで、近年の遊技機には、分担する機能毎に複数の制御基板が取付けられる傾向にある。さらに、近年の遊技機には、入賞球を検出するためのセンサが取付けられる傾向もある。
【０００３】
【発明が解決しようとする課題】
制御基板の数が増えれば、その分だけ内部装置が帯電した電荷により制御基板が影響を受けて誤作動する可能性が高まる。また、センサ類も、内部装置が帯電した電荷により影響を受けて誤作動する可能性がある。よって、確実な帯電防止策が望まれている。
【０００４】
この発明は、上記のような問題点を解決するためになされたもので、遊技機内部の帯電防止を可能とする遊技機および遊技設備を提供することを目的とする。
【０００５】
【課題を解決するための手段】
上記課題を解決するため、請求項１記載の発明は、
本体枠に回動可能に軸支された前面枠の裏面側に、遊技盤を収納可能な遊技盤収納部材を備える遊技機において、
前記遊技盤収納部材は、導電性材により構成され、
当該遊技機に設置された装置類からの電気的接続を行うために前記遊技盤収納部材に設けられた接続部と、
前記接続部から遊技機設置島側への電気的接続を行うための導線と、を備え、
前記導線は、
前記遊技盤収納部材の前記前面枠への取付基部よりも後方、かつ、前記前面枠の回動軸側の上側部分、に配される中継基板を介して、前記接続部から前記遊技機設置島側への電気的接続を行うものであり、
前記接続部から前記中継基板に至る第１の導線と、
前記中継基板から前記遊技機設置島に至る第２の導線と、を含んで構成され、
前記第１の導線と前記第２の導線との双方が一つのコネクタに接続され、
前記一つのコネクタを前記中継基板に取付けることで前記第１および第２の導線が中継基板の回路基板を介して電気的に接続されて、前記接続部から前記遊技機設置島側への電気的接続がなされるように構成されており、
前記中継基板は、
電源線を介して遊技機外から導入された電源を中継し、
前記導線は、前記接続部と前記遊技機設置島との間で流れる電流の方向を、前記接続部側から前記遊技機設置島側への一方向にさせる不可逆性伝達手段を備えることを特徴としている。
【０００６】
この請求項１記載の発明によれば、遊技盤収納部材が導電性材により構成されているのに加えて、この遊技盤収納部材には、遊技機に設置された装置類が電気的に接続される接続部が設けられ、さらに遊技機は、接続部から遊技機設置島側への電気的接続を行うための導線を備えているので、導線及び接続部を介して、装置類と遊技機設置島とを電気的に接続できる。
従って、装置類から遊技機設置島側へ放電できるため、装置類が帯電するのを防止できる。
【０００７】
ここで、遊技機が備える装置類には、例えば、遊技制御装置、排出制御装置、排出装置などが含まれる。
【００１０】
また、導線は、遊技盤収納部材の前面枠への取付基部よりも後方に配される中継基板を介して、接続部から遊技機設置島側への電気的接続を行うものであるので、前面枠を閉じる際に前面枠と本体枠の間に導線が挟まりにくくすることができる。また、中継基板は、前面枠の回動軸側に配されているので、導線を接続したままの状態で行う前面枠の開閉動作が容易となる。さらに、中継基板は、前面枠の上側部分に配されているので、例えば、下側部分にある場合のように、導線を中継基板に接続する際に腰を曲げたりする必要が無く、無理のない姿勢で容易に接続作業を行うことができる。
【００１２】
さらに、中継基板に脱着自在なコネクタを中継基板に接続することで、接続部から遊技機設置島側への電気的接続がなされるので、容易に導線を取り外すことができる。従って、導線を使用しない場合には導線を取り外した状態で、遊技機を設置・使用できる。また、コネクタを取り外すことで、第１及び第２の導線の双方を取り外すことができるため、例えば、接続部から中継基板に至る第１の導線だけが残されるといったことがない。従って、第１の導線により遊技盤収納部材から中継基板の回路基板への電荷の流入を確実に防止できる。また、コネクタを取り付けた場合には、確実に、遊技盤収納部材から中継基板を介して遊技機設置島側へと放電できる。
また、導線は、接続部と遊技機設置島との間で流れる電流の方向を、接続部側から遊技機設置島側への一方向にさせる不可逆性伝達手段を備えるので、遊技盤設置島側から接続部側へと電流が逆流することを防止できる。よって、遊技機の帯電防止をより確実なものとすることができる。
請求項２記載の発明は、本体枠に回動可能に軸支された前面枠の裏面側に、遊技盤を収納可能な遊技盤収納部材を備える遊技機において、
前記遊技盤収納部材は、導電性材により構成され、
当該遊技機に設置された装置類からの電気的接続を行うために前記遊技盤収納部材に設けられた接続部と、
前記接続部から遊技機設置島側への電気的接続を行うための導線と、を備え、
前記導線は、
前記遊技盤収納部材の前記前面枠への取付基部よりも後方、かつ、前記前面枠の回動軸側の上側部分、に配される中継基板を介して、前記接続部から前記遊技機設置島側への電気的接続を行うものであり、
前記接続部から前記中継基板に至る第１の導線と、
前記中継基板から前記遊技機設置島に至る第２の導線と、を含んで構成され、
前記第１の導線と前記第２の導線との双方が一つのコネクタに接続され、
前記一つのコネクタを前記中継基板に取付けることで前記第１および第２の導線が中継基板の回路基板を介して電気的に接続されて、前記接続部から前記遊技機設置島側への電気的接続がなされるように構成されており、
前記中継基板は、
電源線を介して遊技機外から導入された電源を中継し、
前記導線は、前記接続部から前記遊技機設置島側に流れる電流の急激な変化を抑える変化抑制手段を備えることを特徴としている。
この請求項２記載の発明によれば、遊技盤収納部材が導電性材により構成されているのに加えて、この遊技盤収納部材には、遊技機に設置された装置類が電気的に接続される接続部が設けられ、さらに遊技機は、接続部から遊技機設置島側への電気的接続を行うための導線を備えているので、導線及び接続部を介して、装置類と遊技機設置島とを電気的に接続できる。従って、装置類から遊技機設置島側へ放電できるため、装置類が帯電するのを防止できる。
また、導線は、遊技盤収納部材の前面枠への取付基部よりも後方に配される中継基板を介して、接続部から遊技機設置島側への電気的接続を行うものであるので、前面枠を閉じる際に前面枠と本体枠の間に導線が挟まりにくくすることができる。また、中継基板は、前面枠の回動軸側に配されているので、導線を接続したままの状態で行う前面枠の開閉動作が容易となる。さらに、中継基板は、前面枠の上側部分に配されているので、例えば、下側部分にある場合のように、導線を中継基板に接続する際に腰を曲げたりする必要が無く、無理のない姿勢で容易に接続作業を行うことができる。
さらに、中継基板に脱着自在なコネクタを中継基板に接続することで、接続部から遊技機設置島側への電気的接続がなされるので、容易に導線を取り外すことができる。従って、導線を使用しない場合には導線を取り外した状態で、遊技機を設置・使用できる。また、コネクタを取り外すことで、第１及び第２の導線の双方を取り外すことができるため、例えば、接続部から中継基板に至る第１の導線だけが残されるといったことがない。従って、第１の導線により遊技盤収納部材から中継基板の回路基板への電荷の流入を確実に防止できる。また、コネクタを取り付けた場合には、確実に、遊技盤収納部材から中継基板を介して遊技機設置島側へと放電できる。
また、導線は、接続部から遊技機設置島側に流れる電流の急激な変化を抑える変化抑制手段を備えるので、導線を流れる電流が急激に変化することによって導線周囲の磁界が変化してしまうことを防止できる。従って、遊技機が備える装置類へのノイズ源の発生を防止できる。
【００１３】
請求項３記載の発明は、請求項１又は２記載の遊技機において、前記導線の前記遊技盤収納部材側の先端部には、該先端部を前記接続部に取付けるための磁石が設けられていることを特徴としている。
【００１４】
この請求項３記載の発明によれば、導線の遊技盤収納部材側先端部に設けられた磁石により、導線を接続部に容易に取付けることができ、これにより導線を接続部と電気的に接続できる。
【００１５】
請求項４記載の発明は、請求項３記載の遊技機において、前記接続部は、前記磁石を取付け可能な凹室状に構成されるとともに、前記遊技盤収納部材の、前記前面枠の回動軸側の上側部分に配されていることを特徴としている。
【００１６】
この請求項４記載の発明によれば、先ず、接続部は、導線先端部の磁石を取付可能な凹室状に構成されているので、接続部により好適に磁石を位置決めさせることができる。また、接続部は、前面枠の回動軸側に配されているので、導線を接続したままの状態であっても、導線が前面枠の開閉動作の妨げとなりにくい。さらに、接続部は、前面枠の上側部分に配されているので、例えば、下側部分にある場合のように、導線を接続部に接続する際に腰を曲げたりする必要が無く、無理のない姿勢で容易に接続作業を行うことができる。
【００２３】
請求項５記載の発明は、請求項１〜４のいずれかに記載の遊技機において、前記導線の、前記遊技機設置島側の先端部には、該先端部を前記遊技機設置島に取付けるための磁石が設けられていることを特徴としている。
【００２４】
この請求項５記載の発明によれば、導線の遊技機設置島側先端部に設けられた磁石により、導線を遊技機設置島に容易に取付けることができ、これにより導線を遊技機設置島と電気的に接続できる。
【００２５】
請求項６記載の発明は、請求項５記載の遊技機を複数設置可能な遊技機設置島と、この遊技機設置島に設置される複数の前記遊技機と、を含んで構成される遊技設備であって、前記遊技機設置島の、各遊技機の設置位置に対応した箇所には、前記導線の前記遊技機設置島側先端部の磁石の取付用凹室が設けられていることを特徴としている。
【００２６】
この請求項５記載の発明によれば、遊技機設置島の、各遊技機の設置位置に対応した箇所には、導線先端部の磁石の取付用凹室が設けられているので、この取付用凹室に磁石を取付けることで、磁石を取付用凹室により好適に位置決めさせることができる。
【００２７】
【発明の実施の形態】
〔第１の実施の形態〕
以下、図面を参照して、本発明に係る第１の実施の形態について説明する。
本実施の形態は、本発明に係る遊技機の適例としてのパチンコ遊技機、特に、いわゆる「第１種」に属するタイプのパチンコ遊技機について説明を行うものである。
【００２８】
この実施の形態のパチンコ遊技機１００は、矩形枠状の本体枠１１０（図２参照）を備えており、この本体枠１１０の一側方には、該本体枠１１０に対し回動可能な状態で前面枠１１１が軸支されている。
【００２９】
図１に示すように、前面枠１１１の正面側には、正面に遊技領域１ａを形成する遊技盤１、遊技球を貯留する上皿１０５、この上皿１０５に貯留しきれない遊技球を貯留する下皿１０７、操作ハンドル１０４などが設けられている。
【００３０】
このうち、遊技領域１ａには、普図始動ゲート６，６、特図変動表示遊技を表示する変動表示装置４、普図変動表示遊技を表示する変動表示装置７、普図変動表示遊技の結果如何によって開閉部材９ａ，９ａを開（遊技者にとって有利な状態）閉（遊技者にとって不利な状態）させる特図始動口を兼ねた普通変動入賞装置９、特図変動表示遊技の結果如何によって大入賞口５ｂを閉じた状態（遊技者にとって不利な状態）から開放状態（遊技者にとって有利な状態）に変換するサイクル遊技を行う特別変動入賞装置５、一般入賞口８，…などが配設されている。
【００３１】
さらに、普図始動ゲート６，６には、該普図始動ゲート６，６を通過する遊技球を検出するためのセンサ（図示略）が設けられている。また、遊技盤１の裏面側には、普通変動入賞装置９、大入賞口５ｂ、一般入賞口８にそれぞれ対応して、入賞した遊技球を検出するためのセンサＳ，…が設けられている。
【００３２】
また、パチンコ遊技機１００の本体１００ａの脇にはカードユニット５００が設けられている。このカードユニット５００に球貸用のプリペイドカードを挿入した状態で、上皿１０５の上面に設けられた貸球スイッチ１０５ａを押圧操作することで、上皿１０５に遊技球（貸球）が払い出されるようになっている。
【００３３】
パチンコ遊技機１００における遊技は、操作ハンドル１０４の操作に基づき、上皿１０５の遊技球を遊技領域１ａに発射して行うようになっている。
そして、パチンコ遊技機１００は、遊技の結果如何によって遊技球を大量獲得する機会を遊技者に付与できるようになっており、この際、遊技球は上皿１０５、乃至、下皿１０７に払い出される。
【００３４】
次ぎに、パチンコ遊技機１００の裏面側の構成について説明する。
【００３５】
図２に示すように、前面枠１１１に取り付けられた裏機構盤１２０の裏側には、予備球を貯留するための貯留タンク１２１、この貯留タンク１２１からの予備球を整列させながら流下案内する導出樋１２２、この導出樋１２２により流下案内される球の球抜きなどを行う球抜きユニット１２３、この球抜きユニット１２３から更に下方へと遊技球を流下案内して遊技球の排出動作を行う排出装置３５などが配設されている。
【００３６】
さらに、裏機構盤１２０には、遊技領域に設けられた変動表示装置４の表示制御を行う表示制御装置４０、パチンコ遊技機１００に備えられるランプやＬＥＤなどの発光部材の点灯・点滅状態を制御する装飾制御装置５０、スピーカ（図示略）等の出力を制御する音制御装置６０、排出装置３５の制御等を行う排出制御装置３０、これらの各制御装置３０，４０，５０，６０を統括制御する遊技制御装置２０が設けられている。
加えて、前面枠１１１の裏面下端側には、遊技機前面の操作ハンドル１０４の操作に基づき遊技球を遊技領域に発射させる発射装置７１と、この発射装置７１の制御を行う発射制御装置７０と、が配設されている。
このように、パチンコ遊技機１００は、機能毎に分けられて複数設けられた制御装置２０，３０，４０，５０，６０，７０を備えている。
【００３７】
また、裏機構盤１２０の裏側の上部の軸支側（前面枠１１１の回動軸側の上側部分）には、枠用外部出力端子板８１とターミナル基板（中継基板）２１０とが並設されている。
このうち、枠用外部出力端子板８１は、貯留タンク１２１からの球無し信号、排出制御装置３０からの貸球信号、および、遊技制御装置２０からの賞球信号などの外部出力データを遊技機外部に出力するものである。
他方、ターミナル基板２１０は、電源線３００を介してパチンコ遊技機１００外の遊技機設置島から導入された電源を中継する基板である。このターミナル基板２１０からは、以下説明する電源装置９０とカードユニット用中継基板２３０に電源供給される。
電源装置９０は、裏機構盤１２０の裏側の、例えば、遊技制御装置２０の情報位置に設けられている。この電源装置９０は、ターミナル基板２１０を介して外部から供給される外部電源を基に各種の電圧を生成して各制御装置２０，３０，４０，５０，６０，７０に電源供給するものである。
カードユニット用中継基板２３０は、裏機構盤１２０の裏側の、例えば、排出制御装置３０下方位置に設けられている。このカードユニット用中継基板２３０は、パチンコ遊技機１００の本体１００ａ側とカードユニット５００側とで授受される信号を中継する一方で、ターミナル基板２１０から供給された電源をカードユニット５００に供給するものである。
【００３８】
図３に示すように、上記の裏機構盤１２０は、遊技盤収納部材１１５を介して前面枠１１１の裏面側に設けられている。
遊技盤収納部材１１５は、図３に示すように、前面側が開口した薄い箱形形状をなし、裏面側中央には、広く開口した開口部を有する。図３には図示しないが、この遊技盤収容部材１１５の前面側には、上記の遊技盤１が前向きとなって収容された状態に設けられている。
このような遊技盤収納部材１１５には、該遊技盤収納部材１１５を前面枠１１１に取付けるための取付基部１１５ａが複数設けられている。そして、この取付基部１１５ａを前面枠１１１の裏面に合わせるようにして、取付基部１１５ａに設けられたビス孔１１５ｂを介してビス止めを行うことで、遊技盤収納部材１１５が前面枠１１１に取付けられている。
また、裏機構盤１２０は、該裏機構盤１２０に形成されたボス孔１２０ａ（一部のみ配置箇所を示す）を、遊技盤収納部材１１５の裏面から後方に向けて突出形成された取付用ボス１１５ｃに外挿することで、遊技盤収納部材１１５に取付けられている。
ここで、遊技盤収納部材１１５および裏機構盤１２０は、それぞれ所定の奥行きを有しているため、ターミナル基板２１０は、遊技盤収納部材１１５の取り付け基部１１５ａよりも後方に配されている。
【００３９】
以上のように概略構成されたパチンコ遊技機１００は、例えば、図４に示すように、複数が横並びとなって遊技機設置島４００に設けられる。具体的には、各パチンコ遊技機１００の本体枠１１０が、遊技機設置島４００に固定されている。従って、本体枠１１０に対し回動自在な前面枠１１１は、図５に示すように遊技機設置島４００に対しても回動自在となる。
この遊技機設置島４００は、図４及び図５に示すように、該遊技機設置島４００の主たる構造体であるフレーム基枠体４０１と、各パチンコ遊技機１００へと遊技球を供給するための島側球流路４０２と、を内部に有している。このうち、フレーム基枠体４０１は、導電性材からなるものである（フレーム基枠体４０１は、例えば、金属製のものであり鉄骨島等と称される）。
このように、パチンコ遊技機１００を複数設置可能な遊技機設置島４００と、この遊技機設置島４００に設置される複数のパチンコ遊技機１００とにより、遊技設備７００が構成されている。
【００４０】
次に、本発明に係る要部について説明する。
【００４１】
先ず、本発明の場合、遊技盤収納部材１１５は、導電性材（例えば、導電性材料が混入した樹脂成形品、或いは、導電性の金属成形品）により構成されている。
このような遊技盤収納部材１１５の裏面側には、図６に示すように、当該パチンコ遊技機１００に設置された装置類からの電気的接続を行うための、本発明に係る接続部５００が設けられている。図５に示すように、この接続部５００は、例えば、遊技盤収納部材１１５の裏面の、前面枠１１１の回動軸側の上側部分に配されている。この接続部５００は、具体的には、例えば、遊技盤収納部材１１５の取付基部１１５ａに設けられている。
また、この接続部５００は、例えば、導線（詳細後述）の先端部に設けられたＵ字状或いはリング状等の端子部をビスにより締め付け固定することにより、導線と電気的に接続できる構成となっている。
この接続部５００と電気的に接続される装置類には、例えば、遊技制御装置２０、排出制御装置３０、排出装置３５等が含まれる。遊技制御装置２０、排出制御装置３０は、それぞれ回路基板を備えており、例えば、これら回路基板のグランド部分が、接続部５００と電気的に接続されている。また、排出装置３５は、遊技球の流路となる球流路（図示略）を内部に備えており、この球流路が接続部５００と電気的に接続されている。
【００４２】
また、図６に示すように、接続部５００には、第１の導線５０１の一端が接続されている。この第１の導線５０１は、その中途部分が、例えば、裏機構盤１２０に設けられた係止部１２０ｂに係止され、その他端５０１は、コネクタ５０２に接続されている。
このコネクタ５０２には、ターミナル基板２１０から遊技機設置島４００に至る第２の導線５０３の一端も接続されている。このようなコネクタ５０２をターミナル基板２１０内の回路基板２１０ａ（図７参照）に設けられたコネクタ取付部５０４（図７参照）に接続することで、回路基板２１０ａを介して第１及び第２の導線５０１，５０３が電気的に接続されている。
なお、コネクタ５０２は、ターミナル基板２１０（コネクタ取付部５０４）に対し脱着自在である。
【００４３】
ここで、上記のように、ターミナル基板２１０は、遊技盤収納部材１１５の前面枠１１１への取付基部１１５ａよりも後方に配されているため、第２の導線５０３は、取付基部１１５ａよりも後方位置から延出された状態となっている。
【００４４】
また、第２の導線５０３の他端は、図５及び図４に示すように、遊技機設置島４００の、例えば、フレーム基枠体４０１の、各パチンコ遊技機１００の設置位置に対応した箇所（例えば、上方部分等）に設けられた接続部４０１ａに接続されている。
ここで、第２の導線５０３の他端の接続先は、導電性の部材であればフレーム基枠体４０１以外でも良いが、遊技球が直に接触しながら通る島側球流路４０２には接続しないことが望ましい。遊技球は帯電しやすいものであるため、第２の導線５０３の他端を島側球流路４０２に接続した場合、島側球流路４０２を介して遊技球の帯電を引き起こし、その結果、遊技球の移動先にある部材の帯電を引き起こしてしまって問題となるためである。
なお、以上の説明から分かるように、導線は、接続部５００からターミナル基板２１０に至る第１の導線５０１と、ターミナル基板２１０から遊技機設置島４００に至る第２の導線５０３とを含んで構成されている。
【００４５】
以上のような第１の実施の形態によれば、遊技盤収納部材１１５は導電性材により構成され、この遊技盤収納部材１１５に設けられた接続部５００には、遊技制御装置２０、排出制御装置３０、排出装置３５等の装置類が接続され、さらに、接続部５００は、第１の導線５０１および第２の導線５０３を介して、遊技機設置島４００のフレーム基枠体４０１に接続されているので、接続部５００及び第１及び第２の導線５０１，５０３を介して、装置類と遊技機設置島４００のフレーム基枠体４０１とを電気的に接続できる。
従って、装置類から、接続部５００及び第１及び第２の導線５０１，５０３を介して、遊技機設置島４００側へ放電できるため、装置類が帯電するのを防止できる。
【００４６】
さらに、導線は、遊技盤収納部材１１５の前面枠１１１への取付基部１１５ａよりも後方に配されるターミナル基板２１０を介して、接続部５００から遊技機設置島４００側への電気的接続を行うものであるので、前面枠１１１を閉じる際に前面枠１１１と本体枠１１０の間に導線が挟まりにくい構成となる。
また、ターミナル基板２１０は、前面枠１１１の回動軸側に配されているので、導線を接続したままの状態で行う前面枠１１１の開閉動作が容易となる。
さらに、ターミナル基板２１０は、前面枠１１１の上側部分に配されているので、導線（コネクタ）をターミナル基板２１０に接続する際に腰を曲げたりする必要が無く、無理のない姿勢で容易に接続作業を行うことができる。
【００４７】
加えて、ターミナル基板２１０に脱着自在なコネクタ５０２をターミナル基板２１０に接続することで、接続部５００から遊技機設置島４００側への電気的接続がなされるので、導線を使用しない場合には、導線を取り外した状態でパチンコ遊技機１００を遊技機設置島４００に設置できる。
また、コネクタ５０２を取り外すことで、第１及び第２の導線５０１，５０３の双方を取り外すことができるため、例えば、接続部５００からターミナル基板２１０に至る第１の導線５０１だけが残されるといったことがない。従って、第１の導線５０１により遊技盤収納部材１１５からターミナル基板２１０の回路基板２１０ａへの電荷の流入を防止でき、この回路基板２１０ａへの悪影響を未然に防止できる。勿論、コネクタ５０２を取り付けた場合には、確実に、遊技盤収納部材１１５からターミナル基板２１０を介して遊技機設置島４００側へと放電できる。
【００４８】
なお、上記の第１の実施の形態では、導線は、パチンコ遊技機１００側の接続部５００と遊技機設置島４００側の接続部４０１ａとを、ターミナル基板２１０を介して接続する例について説明したが、本発明はこれに限らず、例えば、導線により、接続部５００から接続部４０１ａへと直接接続することとしても良い（後述する第４の実施の形態参照）。
また、図３及び図６に符号５００´で示される構成要素は、この第１の実施の形態では無いものとする。
【００４９】
〔第２の実施の形態〕
この第２の実施の形態では、以下に説明する点を除いては上記の第１の実施の形態と同様であるため、同一の構成要素には同一の符号を付し、その説明を省略する。
即ち、この第２の実施の形態では、上記の第１の実施の形態における導線、特に、第２の導線５０３の代わりとして、図７に示すように、伸縮自在な螺旋構造を備える第２の導線５０３´を適用する。
なお、図７に示すように、この第２の実施の形態では、コネクタ５０２によりターミナル基板２１０の回路基板２１０ａに接続されるのは第２の導線５０３´のみであり、第１の導線５０１は、別途、回路基板２１０ａに接続されることとしてもよい。
【００５０】
この第２の実施の形態によれば、第２の導線５０３´は伸縮自在な螺旋構造をなしているので、前面枠１１１を本体枠１１０に対し開閉するのに伴って伸び縮みできる。従って、第２の導線５０３´は、前面枠１１１を閉じた状態では縮んだ状態となるので垂れ下がらず、前面枠１１１を開いた状態では伸びた状態となるので、ストレスが加わって断線するといった虞がない。
加えて、例えば、各遊技店により、遊技機設置島４００の側の導線の接続部４０１ａの位置が異なることに基づき、接続部４０１ａとパチンコ遊技機１００側のコネクタ取付部５０４との距離が変化しても、第２の導線５０３´が伸縮することにより対応できる。
【００５１】
〔第３の実施の形態〕
この第３の実施の形態では、以下に説明する点を除いては上記の第１又は第２の実施の形態と同様であるため、同一の構成要素には同一の符号を付し、その説明を省略する。
即ち、この第３の実施の形態では、図８に示すように、第２の導線５０３（又は５０３´）の遊技機設置島４００側の先端部には、この先端部を遊技機設置島に取付けるための磁石５０５が設けられている。
加えて、この第３の実施の形態では、上記の第１の実施の形態における遊技機設置島４００の接続部４０１ａの代わりに、磁石５０５の取付用凹室４０１ａ´，…が設けられている。
磁石５０５は導電性のものであるため、第２の導線５０３（５０３´）の先端の磁石５０５を遊技機設置島４００の取付用凹室４０１ａ´に取付けることで、第２の導線５０３（５０３´）が取付用凹室４０１ａ´に対し電気的に接続される。
【００５２】
この第３の実施の形態によれば、遊技機設置島４００の、各パチンコ遊技機１００の設置位置に対応した箇所には、第２の導線５０３（５０３´）先端部の磁石５０５の取付用凹室４０１ａ´が設けられているので、この取付用凹室４０１ａ´に磁石５０５を取付けることで、磁石５０５を取付用凹室４０１ａ´により好適に位置決めさせることができる。
【００５３】
〔第４の実施の形態〕
この第４の実施の形態では、以下に説明する点を除いては上記の第１〜３のいずれかの実施の形態と同様であるため、同一の構成要素には同一の符号を付し、その説明を省略する。
即ち、この第４の実施の形態では、第１〜３のいずれかの実施の形態における遊技盤収納部材１１５の接続部５００に相当する接続部５００´（図６参照）を、ターミナル基板２１０を介さずに、直接、遊技機設置島４００の接続部４０１ａ（又は取付用凹室４０１ａ´）へと接続する例について説明する。
しかも、この第４の実施の形態では、第２の導線５０３（又は５０３´）の遊技盤収納部材１１５側の先端部には、該先端部を接続部５００´に取付けるための磁石（図示略；第３の実施の形態における磁石５０５と同様）が設けられている。
加えて、この第４の実施の形態では、接続部５００´は、第２の導線５０３（又は５０３´）の遊技盤収納部材１１５側先端の磁石を取付け可能な凹室状に構成されている。
なお、接続部５００´は、例えば、図６および図３に示すように、遊技盤収納部材１１５の、前面枠１１１の回動軸側の上側部分にて、凹室形状の開口側が回動軸側を向いた状態に配されている。また、接続部５００´は、遊技盤収納部材１１５の前後方向に起立した側壁部１１５ｄに設けられている。
【００５４】
この第４の実施の形態では、第２の導線５０３（又は５０３´）に遊技盤収納部材１１５側先端に設けられた磁石を接続部５００´に取付けることで、第２の導線５０３（又は５０３´）を接続部５００´と電気的に接続できる。
しかも、接続部５００´は、第２の導線５０３（又は５０３´）先端部の磁石を取付可能な凹室状に構成されているので、接続部５００´により好適に磁石を位置決めさせることができる。
【００５５】
〔第５の実施の形態〕
この第５の実施の形態では、以下に説明する点を除いては上記の第１〜４のいずれかの実施の形態と同様であるため、同一の構成要素には同一の符号を付し、その説明を省略する。
即ち、この第５の実施の形態では、図９に示すように、導線（第２の導線５０３（又は５０３´）、又は第１の導線５０１）の途中部分又は先端部分に、本発明に係る不可逆性伝達手段として例示する整流ダイオード６００が介在された例について説明する。
【００５６】
この整流ダイオード６００は、遊技盤収納部材１１５の接続部５００（又は５００´）と遊技機設置島４００の接続部４０１ａとの間で流れる電流の方向を、接続部５００（又は５００´）側から遊技機設置島４００側への一方向にさせるものである。
【００５７】
この第５の実施の形態によれば、遊技盤設置島４００側から遊技盤収納部材１１５の接続部５００（又は５００´）側へと電流が逆流することを防止できる。よって、パチンコ遊技機１００の帯電防止をより確実なものとすることができる。
【００５８】
〔第６の実施の形態〕
この第６の実施の形態では、以下に説明する点を除いては上記の第１〜５のいずれかの実施の形態と同様であるため、同一の構成要素には同一の符号を付し、その説明を省略する。
即ち、この第６の実施の形態では、図１０に示すように、導線（第２の導線５０３（又は５０３´）、又は第１の導線５０１）の途中部分又は先端部分に、本発明に係る変化抑制手段６１０が介在された例について説明する。
この変化抑制手段６１０は、例えば、コンデンサ６１１と抵抗６１２とを並列に接続した回路により構成されるものであり、この変化抑制手段６１０により、接続部５００（又は５００´）から遊技機設置島４００側に流れる電流の急激な変化を抑えることができる。
従って、導線を流れる電流が急激に変化することによって導線周囲の磁界が変化してしまうことを防止でき、パチンコ遊技機１００が備える装置類へのノイズ源を発生防止できる。
【００５９】
なお、本発明はこの実施の形態のパチンコ遊技機および遊技設備に限られるものではなく、例えば、その他のパチンコ遊技機、アレンジボール遊技機、雀球遊技機などの弾球遊技機や、パチスロ、スロットマシーン等の遊技機およびこれら遊技機を設置した遊技設備にも適用可能である。
【００６０】
また、遊技制御装置２０、排出制御装置３０、排出装置３５等の装置類を、遊技盤収納部材１１５の接続部５００に接続し、この接続部５００を遊技機設置島４００側に接続する例について説明したが、接続部５００に相当する構成要素を、遊技盤収納部材１１５以外の箇所に設けることとしても良い。
接続部５００に相当する構成要素の設置位置の具体例としては、例えば、金属製前面枠用蝶着金具８０１（図２参照）、金属製金枠縁飾り部材８０２（図１参照）、金属製前面枠用開閉鍵部材８０３等が挙げられる。
このうち、金属製前面枠用蝶着金具８０１は、前面枠１１１を本体枠１１０に軸支する蝶番等からなる金具であり導電性を有するため、接続部５００に相当する構成要素を該金属製前面枠用蝶着金具８０１に設置することで、上記の実施の形態と同様の効果が得られる。
また、金属製金枠縁飾り部材８０２は、前面枠１１１の前側上半部（遊技領域１ａの前側を覆う部分）に設けられて、ガラス８０５を保持した状態で前面枠１１１に対し開閉自在なものであり、同じく導電性を有するため、接続部５００に相当する構成要素を該金属製金枠縁飾り部材８０２に設置することで、上記の実施の形態と同様の効果が得られる。なお、金属製金枠縁飾り部材８０２に相当する樹脂部材を備えるパチンコ遊技機１００の場合には、この樹脂部材は接続部５００に相当する構成要素の設置に適さない。
さらに、金属製前面枠用開閉鍵部材８０３は、前面枠１１１と本体枠１１０とをロック状態にしたり、ロック状態を解除したりするものである。パチンコ遊技機１００正面の鍵穴８１０に差し込まれた鍵を開操作すると、これに連動して、金属製前面枠用開閉鍵部材８０３は、前面枠１１１と本体枠１１０とのロック状態を解除し、この結果、前面枠１１１を開くことが可能な状態となる。また、前面枠１１１を閉じると、金属製前面枠用開閉鍵部材８０３は、前面枠１１１と本体枠１１０とをロック状態にする。この金属製前面枠用開閉鍵部材８０３も、導電性を有するため、接続部５００に相当する構成要素を該金属製前面枠用開閉鍵部材８０３に設置することで、上記の実施の形態と同様の効果が得られる。
【００６１】
また、今回開示された実施の形態はすべての点で例示であって制限的なものではないと考えられるべきである。本発明の範囲は上記した説明ではなくて特許請求の範囲によって示され、特許請求の範囲と均等の意味および範囲内でのすべての変更が含まれることが意図される。
【００６２】
【発明の効果】
請求項１記載の発明に係る遊技機によれば、遊技盤収納部材が導電性材により構成されているのに加えて、この遊技盤収納部材には、遊技機に設置された装置類が電気的に接続される接続部が設けられ、さらに遊技機は、接続部から遊技機設置島側への電気的接続を行うための導線を備えているので、導線及び接続部を介して、装置類と遊技機設置島とを電気的に接続できる。
従って、装置類から遊技機設置島側へ放電できるため、装置類が帯電するのを防止できる。
【００６３】
また、導線は、遊技盤収納部材の前面枠への取付基部よりも後方に配される中継基板を介して、接続部から遊技機設置島側への電気的接続を行うものであるので、前面枠を閉じる際に前面枠と本体枠の間に導線が挟まりにくくすることができる。また、中継基板は、前面枠の回動軸側に配されているので、導線を接続したままの状態で行う前面枠の開閉動作が容易となる。さらに、中継基板は、前面枠の上側部分に配されているので、例えば、下側部分にある場合のように、導線を中継基板に接続する際に腰を曲げたりする必要が無く、無理のない姿勢で容易に接続作業を行うことができる。
【００６４】
特に、中継基板に脱着自在なコネクタを中継基板に接続することで、接続部から遊技機設置島側への電気的接続がなされるので、導線を使用しない場合は、容易に導線を取り外して遊技機を設置できる。また、コネクタを取り外すことで、第１及び第２の導線の双方を取り外すことができるため、例えば、接続部から中継基板に至る第１の導線だけが残されるといったことがない。従って、第１の導線により遊技盤収納部材から中継基板の回路基板への電荷の流入を防止できる。また、コネクタを取り付けた場合には、確実に、遊技盤収納部材から中継基板を介して遊技機設置島側へと放電できる。
また、導線は、接続部と遊技機設置島との間で流れる電流の方向を、接続部側から遊技機設置島側への一方向にさせる不可逆性伝達手段を備えるので、遊技盤設置島側から接続部側へと電流が逆流することを防止できる。よって、遊技機の帯電防止をより確実なものとすることができる。
請求項２記載の発明に係る遊技機によれば、遊技盤収納部材が導電性材により構成されているのに加えて、この遊技盤収納部材には、遊技機に設置された装置類が電気的に接続される接続部が設けられ、さらに遊技機は、接続部から遊技機設置島側への電気的接続を行うための導線を備えているので、導線及び接続部を介して、装置類と遊技機設置島とを電気的に接続できる。従って、装置類から遊技機設置島側へ放電できるため、装置類が帯電するのを防止できる。
また、導線は、遊技盤収納部材の前面枠への取付基部よりも後方に配される中継基板を介して、接続部から遊技機設置島側への電気的接続を行うものであるので、前面枠を閉じる際に前面枠と本体枠の間に導線が挟まりにくくすることができる。また、中継基板は、前面枠の回動軸側に配されているので、導線を接続したままの状態で行う前面枠の開閉動作が容易となる。さらに、中継基板は、前面枠の上側部分に配されているので、例えば、下側部分にある場合のように、導線を中継基板に接続する際に腰を曲げたりする必要が無く、無理のない姿勢で容易に接続作業を行うことができる。
特に、中継基板に脱着自在なコネクタを中継基板に接続することで、接続部から遊技機設置島側への電気的接続がなされるので、導線を使用しない場合は、容易に導線を取り外して遊技機を設置できる。また、コネクタを取り外すことで、第１及び第２の導線の双方を取り外すことができるため、例えば、接続部から中継基板に至る第１の導線だけが残されるといったことがない。従って、第１の導線により遊技盤収納部材から中継基板の回路基板への電荷の流入を防止できる。また、コネクタを取り付けた場合には、確実に、遊技盤収納部材から中継基板を介して遊技機設置島側へと放電できる。
また、導線は、接続部から遊技機設置島側に流れる電流の急激な変化を抑える変化抑制手段を備えるので、導線を流れる電流が急激に変化することによって導線周囲の磁界が変化してしまうことを防止できる。従って、遊技機が備える装置類へのノイズ源の発生を防止できる。
【００６５】
請求項３記載の発明に係る遊技機によれば、導線の遊技盤収納部材側先端部に設けられた磁石により、導線を接続部に容易に取付けることができ、これにより導線を接続部と電気的に接続できる。
【００６６】
請求項４記載の発明に係る遊技機によれば、先ず、接続部は、導線先端部の磁石を取付可能な凹室状に構成されているので、接続部により好適に磁石を位置決めさせることができる。また、接続部は、前面枠の回動軸側に配されているので、導線を接続したままの状態であっても、導線が前面枠の開閉動作の妨げとなりにくい。さらに、接続部は、前面枠の上側部分に配されているので、例えば、下側部分にある場合のように、導線を接続部に接続する際に腰を曲げたりする必要が無く、無理のない姿勢で容易に接続作業を行うことができる。
【００７０】
請求項５記載の発明に係る遊技機によれば、導線の遊技機設置島側先端部に設けられた磁石により、導線を遊技機設置島に容易に取付けることができ、これにより導線を遊技機設置島と電気的に接続できる。
【００７１】
請求項６記載の発明に係る遊技設備によれば、遊技機設置島の、各遊技機の設置位置に対応した箇所には、導線先端部の磁石の取付用凹室が設けられているので、この取付用凹室に磁石を取付けることで、磁石を取付用凹室により好適に位置決めさせることができる。
【図面の簡単な説明】
【図１】本発明に係る遊技機として例示するパチンコ遊技機を示す正面図である。
【図２】図１のパチンコ遊技機の裏面図である。
【図３】前面枠と遊技盤収納部材と裏機構盤を示す分解斜視図である。
【図４】本発明に係る遊技設備を示す正面図である。
【図５】遊技機設置島に取付けられた遊技機の前面枠を開いた状態を示す側面図である。
【図６】ターミナル基板（中継基板）付近を示す図２の要部拡大図である。
【図７】導線が、伸縮自在な螺旋構造をなす場合を示す概略側面図である。
【図８】導線の先端に磁石が設けられている場合を示す概略側面図である。
【図９】本発明に係る不可逆性伝達手段を説明するための図である。
【図１０】本発明に係る変化抑制手段を説明するための図である。
【符号の説明】
１１０ 本体枠
１１１ 前面枠
１ 遊技盤
１１５ 遊技盤収納部材
１１５ａ 取付基部
２０ 遊技制御装置（装置類の一つ）
３０ 排出制御装置（装置類の一つ）
３５ 排出装置（装置類の一つ）
５００ 接続部
５００´ 接続部
２１０ ターミナル基板（中継基板）
２１０ａ 回路基板
５０２ コネクタ
５０５ 磁石
５０１ 第１の導線（導線）
５０３ 第２の導線（導線）
５０３´ 第２の導線（導線）
６００ 整流ダイオード（不可逆性伝達手段）
６１０ 変化抑制手段
６１１ コンデンサ（変化抑制手段を構成する）
６１２ 抵抗（変化抑制手段を構成する）
１００ パチンコ遊技機（遊技機）
４００ 遊技機設置島
４０１ａ´ 取付用凹室
７００ 遊技設備
【図１】
0004187400.tif 000002
【図２】
0004187400.tif 000003
【図３】
0004187400.tif 000004
【図４】
0004187400.tif 000005
【図５】
0004187400.tif 000006
【図６】
0004187400.tif 000007
【図７】
0004187400.tif 000008
【図８】
0004187400.tif 000009
【図９】
0004187400.tif 000010
【図１０】
0004187400.tif 000011